(57)【要約】      （修正有）【課題】安全標語または地域啓発の内容を漫画のイメージ画像として長期記憶でき、また耐候性および耐衝撃性が高く、磁着力により漫画標識パネルが消失し難く、かつ保管や移動も容易なストーリー漫画標識ユニットを提供する。【解決手段】ストーリー漫画標識ユニット１０はマグネットシートを本体とし、かつ重機災害の危険予知等の４コマ漫画（ストーリー漫画）の一部を構成する第１〜第４のコマ画１２ａ〜１２ｄが表面に１つずつ表示された第１〜第４の漫画標識パネル１２Ａ〜１２Ｄと、表面に「重機災害に注意！」等と表記された縦長な矩形状のタイトルパネル１３とを備える。マグネットシートは、合成ゴムにフェライト粉末を混ぜて矩形状のシートに成型し、鉄製の掲示板１４等に磁着させて使用する。マグネットシートの大きさは、建築現場での朝礼時、屋外掲示板１４に掲示された第１〜第４の漫画標識パネル１２Ａ〜１２Ｄを、参加者が容易に視認できるように縦４００ｍｍ、横４２０ｍｍ程度とする。【選択図】図１
0003173043.tif 000002
【実用新案登録請求の範囲】
【請求項１】
マグネットシートからなり、かつ工事現場でのヒヤリハットを含む危険予知または地域啓発のストーリー漫画の一部を構成するコマ画が表面に１つずつ表示された複数枚の漫画標識パネルを備え、
前記複数枚の漫画標識パネルは、前記ストーリー漫画のストーリーにしたがって配列して使用されるストーリー漫画標識ユニット。
【請求項２】
前記複数枚の漫画標識パネルは、マグネットシートに代えて、厚紙、金属シート、プラスチックシート、木材シートのうちの何れかが使用される請求項１に記載のストーリー漫画標識ユニット。
【考案の詳細な説明】
【技術分野】
【０００１】
この考案はストーリー漫画標識ユニット、詳しくは漫画による危険予知活動の啓発または工事現場近くの地域住民に対する地域啓発が図れるストーリー漫画標識ユニットに関する。
【背景技術】
【０００２】
建設業や土木業といった危険な作業に従事する作業者たちが、事故や災害を未然に防ぐため、作業に潜む危険を予想して指摘しあう、いわゆる危険予知活動（ＫＹ活動）が、近年、提唱されている。その一環として、危険に対しての情報を作業者全員で共有し合うため、各現場では、朝礼時に、屋外掲示板に画鋲などで張った厚紙製の安全標語ポスター（例えば非特許文献１）の標語を全員で唱和している。これにより、作業者に対して、危険を危険と気付く感受性を鋭くするように促すとともに、危険に対する集中力を高めさせ、危険に対する情報を共有し合い、危険への問題解決能力および危険予知活動実践への意欲を向上させるようにしている。
【先行技術文献】
【特許文献】
【０００３】
【非特許文献１】［平成２３年１０月２１日検索］、インターネット〈ＵＲＬ：ｈｔｔｐ：／／ｋｅｎｔａｋｕ．ｂｉｚ／ｐｏｓｔｅｒ／〉
【考案の概要】
【考案が解決しようとする課題】
【０００４】
しかしながら、非特許文献１に記載された安全標語ポスターの場合には、正確な情報を伝達するというメリットがある一方、活字離れした現代人にとっては、安全標語の文章を数日間にわたって正確に記憶することは困難であった。
また、安全標語ポスターの場合には、多数の作業員を集めた朝礼で標語を唱和できるように、大判の厚紙に標語を印刷したものが屋外で使用されていた。そのため、このポスターが風雨に晒されてしまい、短い期間で汚れや破れが発生し、廃棄処分されることが多かった。
しかも、不使用時の安全標語ポスターは、工事現場の片隅に放置されたり、工具や基材などが散乱する保管倉庫に放置されることが多く、工具や基材などが当接して破損し易かった。さらに、安全標語ポスターが多数存在する場合には、そのうちの数枚が風などで消失し易かった。
これらの課題は、工事関係者が工事現場近くの壁面に掲示した交通安全やあいさつ運動などの地域啓発ポスターにおいても同様であった。
【０００５】
そこで、考案者は鋭意研究の結果、安全標識の主な目的である、危険に気付く感受性を鋭くし、かつ危険に対する集中力を高めて安全な現場作業が行えるように啓発するため、または交通安全やあいさつ運動などの地域啓発が地域住民に浸透し易くするため、視覚的な画像イメージとして脳に記憶され、かつ文字に比べて記憶し易い漫画に着目した。特に、日本人になじみ易い４コマ漫画のようなストーリー漫画であれば、複数枚の漫画のコマ（漫画標識パネル）が関連付けられてさらに記憶し易くなることを知見し、この考案を完成させた。
しかも、従来の安全標語ポスターや地域啓発ポスターのように厚紙ではなく、マグネットシートによりそれぞれの漫画標識パネルを作製するようにすれば、パネルが風雨に晒されたり、保管倉庫などで工具や基材と接触しても破れ難く、金属シートからなるものに比べて錆びにくく、さらに表面に付着した汚れを簡単に拭き取れるとともに、１話分を構成する複数枚の漫画標識パネルを互いに磁着させて束ねることでこれらのパネルが消失し難く、かつ保管や移動も容易になることを知見し、この考案を完成させた。
【０００６】
この考案は、工事現場の作業者が、複数枚の漫画標語パネルに表示された危険予知活動の啓発、または、工事現場近くの地域住民への地域啓発の内容をストーリー漫画化することで、それが長期間記憶し易くなるとともに、漫画標識パネルの耐候性、強度および剛性が高まり、かつ各漫画標識パネルが消失し難くかつ保管や移動もし易くなるストーリー漫画標識ユニットを提供することを目的としている。
【課題を解決するための手段】
【０００７】
請求項１に記載の考案は、マグネットシートからなり、かつ工事現場でのヒヤリハットを含む危険予知のストーリー漫画の一部、または、地域啓発のストーリー漫画の一部を構成するコマ画が、表面に１つずつ表示された複数枚の漫画標識パネルを備え、前記複数枚の漫画標識パネルは、前記ストーリー漫画のストーリーにしたがって配列して使用されるストーリー漫画標識ユニットである。
【０００８】
請求項２に記載の考案は、前記複数枚の漫画標識パネルのマグネットシートに代えて、厚紙、金属シート、プラスチックシート、木材シートのうちの何れかが使用される請求項１に記載のストーリー漫画標識ユニットである。
【０００９】
ここでいう「漫画標識パネル」とは、ストーリー漫画の１コマ分のコマ画（漫画）が表面に表示されたパネルである。ストーリー漫画とは、一つの筋書き（ストーリー）を追いかけるような構成の漫画である。
ストーリー漫画として表現されるストーリーは、各種の工事現場におけるヒヤリハットを含む危険予知活動用のストーリーか、工事現場近くの地域住民に対して交通安全などの地域啓発を行うストーリーである。ストーリー漫画の最後のコマ画にはストーリーの結末が表示されている方が望ましく、また起承転結を備えたストーリーがさらに好ましい。危険予知活動（ＫＹ活動）とは、危険な作業に従事する作業者たちが、事故や災害を未然に防ぐため、作業に潜む危険を予想して指摘し合うことにより、危険を危険と気付く感受性を鋭くするように促すとともに、危険に対する集中力を高めさせ、危険に対する情報を共有し合い、危険への問題解決能力および危険予知活動実践への意欲を向上させる活動である。ヒヤリハットとは、重大な災害や事故には至らないものの、直結してもおかしくない一歩手前の事例の発見をいう。
ここでいう「作業に潜む危険（予知される危険）」としては、例えば、工事現場での３大災害と称される「墜落災害（足場などからの作業者の墜落）」、「重機災害（重機の横転、旋回アームの衝突など）」、崩落災害（土砂などの崩落）」などが挙げられる。
【００１０】
ここでいう「ストーリー漫画標識ユニット」とは、複数枚の漫画標識パネルにより構成され、かつ工事現場の作業員に対して、作業に潜む危険を漫画のストーリーを通して事前に指摘し、事故や災害を未然に防止するための漫画を使用した安全標識である。または、複数枚の漫画標識パネルにより構成され、かつ漫画を利用して工事現場近くの地域住民に対する地域啓発を行う標識である。
マグネットシートとは、ゴムにフェライト粉末を混ぜてシート形状に成型したものである。
マグネットシートの形状としては、矩形状（特に正方形）が好ましいものの、例えば円形、楕円形、三角形、五角形以上の多角形の他、任意形状でもよい。
漫画標識パネルの使用枚数は、１話分の漫画のコマ数に対応して適宜変更される。例えば、４枚、８枚、１２枚でもよい。ただし、起承転結を１コマずつ表した４コマ漫画（４枚の漫画標識パネル）とした方が、朝礼などの短い時間でも作業者に安全作業に関連したストーリーをより記憶させ易いので好ましい。
危険予知の啓発が行われる工事現場としては、例えば、建築現場、土木現場、製品製造現場などが挙げられる。なお、この考案は、工事現場での危険予知の啓発の他にも、各漫画標識パネルに表示されるコマ画の内容を適宜変更することで、環境保全、交通安全、あいさつなどの啓発にも利用される。
【００１１】
マグネットシートに代わる厚紙としては、例えば、段ボール、ミルクカートン用紙、画用紙、ケント紙などを採用することができる。
マグネットシートに代わる金属シートとしては、例えば、鉄シート、ステンレスシート、アルミ合金シート、真鍮シート、銅シート、ニッケルシートなどを採用することができる。
マグネットシートに代わるプラスチックシートとしては、例えば、ポリエチレンシート、ポリプロピレンシート、ポリエステルシート、ポリエチレンテレフタレートシート、ポリアミドシート、ポリ塩化ビニルシート、ＡＢＳ樹脂シート、アクリルシートなどを採用することができる。
マグネットシートに代わる木材シートとしては、例えば、杉材シート、ヒノキ材シート、ラワン材シート、合板シートなどを採用することができる。
【考案の効果】
【００１２】
請求項１に記載の考案によれば、工事現場での朝礼などにおいて、掲示面がスチール面である屋外掲示板などに、複数枚の漫画標識パネルを、ヒヤリハットを含む危険予知の毛のストーリーまたは地域啓発のストーリーにしたがって磁着する。そのため、工事現場で工事に従事する作業員または工事現場の近くに住む地域住民に対して、対応する漫画のストーリーを通して、例えば作業者が現場作業に潜む危険を事前に認知することで、作業中の事故や災害を未然に防ぐことができたり、地域住民が交通安全、あいさつ運動などの大切さを気付くことができる。しかも、ストーリー漫画を利用した記憶であるため、工事現場の作業者が安全標識の内容を、または、地域住民が地域啓発の内容を、それぞれイメージとして長期間にわたって記憶し易い。
【００１３】
また、それぞれの漫画標識パネルがマグネットシートからなるため、従来のそれぞれ厚紙製の安全標語ポスターまたは地域啓発ポスターに比べて、耐候性、強度および剛性が高く、風雨による破れ、錆び、汚れなどがそれぞれ発生し難いとともに、工事現場や保管所において工具や基材などに当接しても破損し難い。
しかも、マグネットシートからなる漫画標識パネルは、使用枚数に拘わりなく自己の磁着力によって、ストーリー漫画標識ユニットを構成する１話分の漫画標識パネルを、紐などの締結部材がなくても、簡単には分離しない１つの束にすることができる。これにより、１枚でも欠けたら役に立たなくなるおそれがある漫画標識パネルの消失がし難くなり、かつストーリー漫画標識ユニットの保管や移動も容易になる。
【図面の簡単な説明】
【００１４】
【図１】この考案の実施例１に係るストーリー漫画標識ユニットであって、重機災害の危険予知用の４コマ漫画用のものの使用状態を説明する正面図である。
【図２】この考案の実施例１に係るストーリー漫画標識ユニットであって、墜落災害の危険予知用の４コマ漫画用のものの使用状態を説明する正面図である。
【図３】この考案の実施例１に係るストーリー漫画標識ユニットであって、崩落災害の危険予知用の４コマ漫画用のものの使用状態を説明する正面図である。
【図４】この考案の実施例１に係るストーリー漫画標識ユニットの保管状態を示す斜視図である。
【図５】この考案の実施例１に係るストーリー漫画標識ユニットであって、重機災害の危険予知用の８コマ漫画用のものの使用状態を説明する正面図である。
【図６】この考案の実施例１に係るストーリー漫画標識ユニットの別態様であって、地域住民への地域啓発を行う４コマ漫画用のものの使用状態を説明する正面図である。
【考案を実施するための形態】
【００１５】
以下、この考案の実施例を具体的に説明する。
【実施例】
【００１６】
図１において、１０はこの考案の実施例１に係るストーリー漫画標識ユニットで、このストーリー漫画標識ユニット１０はマグネットシート１１を本体とし、かつ重機災害の危険予知の４コマ漫画（ストーリー漫画）の一部を構成する第１〜第４のコマ画１２ａ〜１２ｄが表面に１つずつ表示された第１〜第４の漫画標識パネル１２Ａ〜１２Ｄと、表面に「重機災害に注意！」と表記された縦長な矩形状のタイトルパネル１３とを備えたものである。
マグネットシート１１は、合成ゴムにフェライト粉末を混ぜて矩形状のシートに成型したものである。マグネットシート１１の大きさは、建築現場での朝礼時、屋外掲示板１４に掲示された第１〜第４の漫画標識パネル１２Ａ〜１２Ｄの第１〜第４のコマ画１２ａ〜１２ｄを、最後列の作業員でも視認できる可能な縦４００ｍｍ、横４２０ｍｍとなっている。
【００１７】
第１〜第４の漫画標識パネル１２Ａ〜１２Ｄの表面には、重機災害の危険予知の４コマ漫画のうち、危険予知ストーリーの１コマ分の第１〜第４のコマ画１２ａ〜１２ｄがそれぞれ印刷されている。具体的には、第１の漫画標識パネル１２Ａには「作業半径内立入禁止」の第１のコマ画１２ａが印刷され、第２の漫画標識パネル１２Ｂには「吊荷下立入禁止」の第２のコマ画１２ｂが印刷され、第３の漫画標識パネル１２Ｃには「後方確認」の第３のコマ画１２ｃが印刷され、第４の漫画標識パネル１２Ｄにはストーリーの結末としての「家族の悲しみ、会社はイメージダウン」を表す第４のコマ画１２ｄが印刷されている。第１〜第４の漫画標識パネル１２Ａ〜１２Ｄを所定の配列で１枚目から順に並べることで、１話分の第１〜第４のコマ画１２ａ〜１２ｄからなる重機災害の危険予知の４コマ漫画が完成する。なお、重機災害の危険予知のストーリーは、図１に示すものに限定されず、第１〜第４のコマ画１２ａ〜１２ｄとは別内容のコマ画が表示された図示しない所定枚数の漫画標識パネルを準備し、これと第１〜第４の漫画標識パネル１２Ａ〜１２Ｄの何れかとを差し替えてもよい。これにより、同じ重機災害のストーリー漫画でも、例えばその日の重点作業に適応した危険予知の啓発を行うことができる。
【００１８】
なお、ストーリー漫画標識ユニット１０は、重機災害の危険予知の４コマ漫画用のものに代えて、例えば、図２に示すような墜落災害の危険予知の４コマ漫画用のもの（第１の漫画標識パネル１２Ａには「頭上注意」の第１のコマ画１２ａ、第２の漫画標識パネル１２Ｂには「ブロック清掃、命綱未装着」の第２のコマ画１２ｂ、第３の漫画標識パネル１２Ｃには「感電注意」の第３のコマ画１２ｃ、第４の漫画標識パネル１２Ｄにはストーリーの結末としての「今日も無事故、笑顔で帰宅」を表す第４のコマ画１２ｄ、タイトルパネル１３には墜落災害に注意）や、図３に示すような崩落災害の危険予知の４コマ漫画用のもの（第１の漫画標識パネル１２Ａには「崩落注意、すかし掘り禁止」の第１のコマ画１２ａ、第２の漫画標識パネル１２Ｂには「崩落注意、路肩軟弱」の第２のコマ画１２ｂ、第３の漫画標識パネル１２Ｃには「過積載、路肩軟弱」の第３のコマ画１２ｃ、第４の漫画標識パネル１２Ｄにはストーリーの結末としての「今日も無事故、笑顔で帰宅」を表す第４のコマ画１２ｄ、タイトルパネル１３には崩落災害に注意）などを採用することができる。第１〜第４の漫画標識パネル１２Ａ〜１２Ｄは、縦一列でなく、横一列または縦２列などに並び替えてもよい。
タイトルパネル１３の本体は、前記マグネットシート１１と同一素材からなり、かつ縦１２６０ｍｍ、横３３０ｍｍの短冊形状のマグネットシート１１Ａである。タイトルパネル１３の表題は手書きでも印刷でもよい。
【００１９】
次に、この考案の実施例１に係るストーリー漫画標識ユニット１０の使用方法を説明する。
建築現場の屋外での朝礼時において、現場に持ち込まれたスチールパネル製の屋外掲示板１４に、第１〜第４の漫画標識パネル１２Ａ〜１２Ｄを重機災害の危険予知活動用の４コマ漫画のストーリーに沿って磁着する。具体的には、屋外掲示板１４のパネル掲示面において、先に磁着された「重機災害に注意！」と表記されたタイトルパネル１３の左側方に、上方から下方に向かって、「作業半径内立入禁止」の第１のコマ画１２ａが印刷された第１の漫画標識パネル１２Ａと、「吊荷下立入禁止」の第２のコマ画１２ｂが印刷された第２の漫画標識パネル１２Ｂと、「後方確認」の第３のコマ画１２ｃが印刷された第３の漫画標識パネル１２Ｃと、「家族の悲しみ、会社はイメージダウン」を表示する第４のコマ画１２ｄが印刷された第４の漫画標識パネル１２Ｄとを順次縦１列に並べて磁着する。
【００２０】
このように、建築現場に持ち込まれた屋外掲示板１４に重機災害の危険予知のストーリーに則った４コマ漫画を掲示することで、例えば朝礼時において、工事に従事する作業員に対して、漫画のストーリーを通して、その日に施工される重機作業に潜む危険を事前に指摘することができる。これにより、作業者が作業中の事故や災害を未然に防ぐことができる。しかも、文字に比べて記憶し易いイメージ画からなる４コマ漫画を利用した作業注意事項の記憶であるため、工事現場の作業者が安全標識の内容を、長期間にわたって記憶し易い。その結果、作業者に対して、危険を危険と気付く感受性を鋭くするように促し、危険に対する集中力を高めさせ、危険に対する情報を共有し合い、危険への問題解決能力や危険予知活動実践への意欲を高めさせることができる。また、建築現場の近くを通る通行人も、その４コマ漫画を見ることで、その現場で行われている工事内容とその工事に潜む危険を予知することができる。
【００２１】
また、第１〜第４の漫画標識パネル１２Ａ〜１２Ｄがマグネットシート１１からなるため、従来の厚紙製の安全標語ポスターに比べて、耐候性、強度および剛性が高く、風雨による破れ、錆び、汚れなどがそれぞれ発生し難いとともに、工事現場や保管所において工具や基材などに当接しても破損し難い。
しかも、マグネットシート１１からなる第１〜第４の漫画標識パネル１２Ａ〜１２Ｄは、使用枚数に拘わりなく自己の磁着力によって、ストーリー漫画標識ユニット１０を構成する１話分の第１〜第４の漫画標識パネル１２Ａ〜１２Ｄを、紐などの締結部材がなくても、簡単には分離しない１つの束にすることができる（図４）。これにより、１枚でも欠けたら役に立たなくなる４コマ漫画用の第１〜第４の漫画標識パネル１２Ａ〜１２Ｄが消失し難くなり、ストーリー漫画標識ユニット１０の保管や移動も容易になる。
【００２２】
さらに、４コマ漫画のストーリー漫画標識ユニット１０は、例えば図５に示すように、１話分の重機災害の危険予知のストーリーが第１〜第８の漫画標識パネル１２Ａ〜１２Ｈからなる８コマ漫画のストーリー漫画標識ユニット１０Ａに変更してもよい。この場合、タイトルパネル１３Ａは、縦２列で配置された第１〜第８の漫画標識パネル１２Ａ〜１２Ｈのうち、各列の最上段の漫画標識パネル１２Ａ，１２Ｅの上辺に連続する横長な矩形状のものとしている。
なお、４コマ漫画用の第１〜第４の漫画標識パネル１２Ａ〜１２Ｄ（第１〜第８の漫画標識パネル１２Ａ〜１２Ｈも同じ）の材料は、マグネットシートではなく、厚紙、金属シート、プラスチックシート、木材シートなどに変更してもよい。
【００２３】
また、図６に示すように、重機災害の危険予知用のストーリー漫画標識ユニット１０に代えて、４コマ漫画用の第１〜第４の漫画標識パネル１２Ａ〜１２Ｄの第１〜第４のコマ画１２ａ〜１２ｄの内容を、工事現場近くの地域住民に対する工事説明や地域啓発を行うストーリー漫画標識ユニット１０Ｂを採用してもよい。具体的には、第１の漫画標識パネル１２Ａには「川をきれいにする工事をしています」の第１のコマ画１２ａ、第２の漫画標識パネル１２Ｂには「交通ルールを守ろう！！  飛び出し注意」の第２のコマ画１２ｂ、第３の漫画標識パネル１２Ｃには「よく学び仲良くあそうぼう」の第３のコマ画１２ｃ、第４の漫画標識パネル１２Ｄには「施工、○○建設株式会社」を表す第４のコマ画１２ｄを、所定の掲示パネルに掲示することで、現場で行っている工事の説明と、地域住民（子供を含む）に対して交通安全および学問奨励の地域啓発を行う。
【００２４】
漫画による危険予知活動の特徴（危険が見える化）は、人間の記憶は視覚により繰り返すことが一番であり、視覚で訴えることで危険予知を無意識のうちに認識することができる点である。また、各作業現場での日常的な活動において、自然にかつ各自が危険予知活動を委縮することなく実行することができる。さらに、会社の役員から作業者に至るまで危険予知活動の実例を視認することができ、またインターネットなどの通信回線により会社と工事現場とをつなぐことで、会社と工事現場との両方で危険予知活動を行うことができる。さらにまた、工事現場の朝礼で、危険予知活動やヒヤリハットについて話をしたり他人の話を聞いたりするより、漫画による表示の方が作業中でも残像として記憶に残り易いため、労災事故を防ぐことが可能となる。また、視覚による情報認識は１２コマもので６〜１２秒と覚え易い漫画を利用すれば（広告漫画２分間理論）、例えば朝礼（工程別を含む）での危険予知活動およびヒヤリハットの時間が短縮され、ひいては朝礼時間を短縮することができる。さらに、工程別での危険予知活動においても、漫画を利用して簡単に済ませることができる。また、漫画による情報伝達は、情景や人物の動作など工事現場の状況に応じて、３大災害を基本にしてオーダーメイドで簡単に作成することができる。さらにまた、公共工事で安全対策、創意工夫などの評価点が高得点となる。
【産業上の利用可能性】
【００２５】
この考案は、工事現場の危険予知または工事現場近くの地域住民に対する地域啓発を促すストーリー漫画標識ユニットとして有用である。
【符号の説明】
【００２６】
１０，１０Ａ、１０Ｂ  ストーリー漫画標識ユニット、
１１  マグネットシート、
１２Ａ〜１２Ｈ  漫画標識パネル、
１２ａ〜１２ｈ  コマ画。
【図１】
0003173043.tif 000003
【図２】
0003173043.tif 000004
【図３】
0003173043.tif 000005
【図４】
0003173043.tif 000006
【図５】
0003173043.tif 000007
【図６】
0003173043.tif 000008